(57)【要約】【課題】車両の後突の直後において、ヘッドレスト本体と着座者の頭部との間に発生する摩擦力を抑制することができる車両用シートのヘッドレスト装置を提供する。【解決手段】ヘッドレスト本体２０と、ヘッドレスト本体２０を支持するステー部材１０とを備える。ヘッドレスト本体２０とステー部材１０との間には、ステー部材１０に対しヘッドレスト本体２０を設定された姿勢でロックすると共に、ヘッドレスト本体２０に対し後方への衝撃荷重が作用したときにロックが外れヘッドレスト本体２０を後方へ移動させるロック機構４０と、ロック機構４０のロックが外れてヘッドレスト本体２０が後方へ移動したときにヘッドレスト本体２０の上下方向の移動を許容する移動許容部４５とが配設される。ヘッドレスト本体２０とステー部材１０とのうち、少なくとも一方には、ヘッドレスト本体２０の移動許容部４５での上下動を円滑化する移動促進部材５０が配設されている。【選択図】図３
2013220770.tif 000002
【特許請求の範囲】
【請求項１】
ヘッドレスト本体と、前記ヘッドレスト本体を支持するステー部材とを備えた車両用シートのヘッドレスト装置であって、
前記ヘッドレスト本体と前記ステー部材との間には、前記ステー部材に対し前記ヘッドレスト本体を設定された姿勢でロックすると共に、前記ヘッドレスト本体に対し後方への衝撃荷重が作用したときにロックが外れ前記ヘッドレスト本体を後方へ移動させるロック機構と、
前記ロック機構のロックが外れて前記ヘッドレスト本体が後方へ移動したときに前記ヘッドレスト本体の上下方向の移動を許容する移動許容部とが配設され、
前記ヘッドレスト本体と前記ステー部材とのうち、少なくとも一方には、前記ヘッドレスト本体の前記移動許容部での上下動を円滑化する移動促進部材が配設されていることを特徴とする車両用シートのヘッドレスト装置。
【請求項２】
請求項１に記載の車両用シートのヘッドレスト装置であって、
ロック機構は、ヘッドレスト本体に内設され、かつステー部材と連結される支持部材に配設され、
移動許容部は、前記ロック機構のロック部の前側に隣接して前記支持部材に形成された上下方向に長い移動許容孔によって構成されていることを特徴とする車両用シートのヘッドレスト装置。
【請求項３】
請求項２に記載の車両用シートのヘッドレスト装置であって、
移動促進部材は、ステー部材の横方向の連結部の外周面に回転可能に配設された回転輪によって構成されていることを特徴とする車両用シートのヘッドレスト装置。
【請求項４】
請求項２に記載の車両用シートのヘッドレスト装置であって、
移動促進部材は、支持部材のロック機構を構成すると共に衝撃荷重が作用したときに破断可能な連結体によって構成され、
前記連結体には、移動許容孔に沿って転動可能なローラが配設されていることを特徴とする車両用シートのヘッドレスト装置。
【発明の詳細な説明】
【技術分野】
【０００１】
この発明は、ヘッドレスト本体と、ヘッドレスト本体を支持するステー部材とを備え、車両の後突（後方からの衝突）の際、着座者の頚部を保護するように構成した車両用シートのヘッドレスト装置に関する。
【背景技術】
【０００２】
この種の車両用シートのヘッドレスト装置においては、例えば、特許文献１に開示されている。
これにおいては、引張ばねによって可動のヘッドレスト本体に上方への付勢力が加えられる。
また、ヘッドレスト本体に設けたローラ部材に対しステーに設けた振り子手段が係合して、ヘッドレスト本体を初期位置に保持する。
振り子手段は揺動可能な振り子アームと振り子アームに揺動可能に取付けたレリーズアームとを有し、付勢力が２つのアームに加えられ、レリーズアームに設けたソレノイドで２つのアームの揺動を規制する。
そして、センサが後突を予知すると、ソレノイドによる揺動規制が解除され、レリーズアームが付勢力のもとで揺動してローラ部材をキックする。これに連動して振り子アームが揺動してローラ部材との係合が解除され、引張ばねの付勢力によってヘッドレスト本体が上昇位置に移動する。
そして、ヘッドレスト本体が上昇位置に移動することで、着座者の頭部に接近するようになっている。
【先行技術文献】
【特許文献】
【０００３】
【特許文献１】特開２００８−１４９８６２号公報
【発明の概要】
【発明が解決しようとする課題】
【０００４】
ところで、特許文献１に開示された車両用シートのヘッドレスト装置においては、センサが後突を予知すると、ヘッドレスト本体が移動する構造となっている。
一方、車両の後突時において、シートに着座している乗員の腰部が、車両とともに前方へ押し出され、相対的に上半身が後方へ移動し、着座者の頭部が後方へ反り返る。
このため、車両の後突の直後において、上昇位置にあるヘッドレスト本体に着座者の頭部が当たり、引き続いて着座者の頭部が上方へ移動することが想定される。
この場合には、ヘッドレスト本体と着座者の頭部との間に発生する摩擦力によって着座者の頸部に負担がかかる恐れがある。
【０００５】
この発明の目的は、前記問題点に鑑み、車両の後突の直後において、ヘッドレスト本体と着座者の頭部との間に発生する摩擦力を抑制することができる車両用シートのヘッドレスト装置を提供することである。
【課題を解決するための手段】
【０００６】
前記課題を解決するために、この発明の請求項１に係る車両用シートのヘッドレスト装置は、ヘッドレスト本体と、前記ヘッドレスト本体を支持するステー部材とを備えた車両用シートのヘッドレスト装置であって、
前記ヘッドレスト本体と前記ステー部材との間には、前記ステー部材に対し前記ヘッドレスト本体を設定された姿勢でロックすると共に、前記ヘッドレスト本体に対し後方への衝撃荷重が作用したときにロックが外れ前記ヘッドレスト本体を後方へ移動させるロック機構と、
前記ロック機構のロックが外れて前記ヘッドレスト本体が後方へ移動したときに前記ヘッドレスト本体の上下方向の移動を許容する移動許容部とが配設され、
前記ヘッドレスト本体と前記ステー部材とのうち、少なくとも一方には、前記ヘッドレスト本体の前記移動許容部での上下動を円滑化する移動促進部材が配設されていることを特徴とする。
【０００７】
前記構成によると、車両の後突時において、シートに着座している乗員の腰部が、車両とともに前方へ押し出され、相対的に上半身が後方へ移動し、着座者の頭部が後方へ反り返る。
この際、ヘッドレスト本体に対し着座者の頭部が当たる場合がある。この場合には、着座者の頭部による後方への衝撃荷重がヘッドレスト本体に作用する。すると、ロック機構のロックが外れる。これによって、ヘッドレスト本体が後方へ移動して移動許容部に配置される。
すると、移動許容部において、ヘッドレスト本体の上下動が移動促進部材によって円滑化される。このため、引き続く着座者の頭部の上方への移動に追従してヘッドレスト本体が上方へ円滑に移動する。
この結果、ヘッドレスト本体と着座者の頭部との間に発生する摩擦力を抑制することができ、着座者の頸部に対する負担を軽減することができる。
【０００８】
請求項２に係る車両用シートのヘッドレスト装置は、請求項１に記載の車両用シートのヘッドレスト装置であって、
ロック機構は、ヘッドレスト本体に内設されステー部材と連結される支持部材に配設され、
移動許容部は、前記ロック機構のロック部の前側に隣接して前記支持部材に形成された上下方向に長い移動許容孔によって構成されていることを特徴とする。
【０００９】
前記構成によると、ヘッドレスト本体に内設された支持部材に対し、ロック機構を容易に配設することができる。
さらに、ロック機構のロック部の前側に隣接して形成された上下方向に長い移動許容孔によって、移動許容部を容易に構成することができる。
【００１０】
請求項３に係る車両用シートのヘッドレスト装置は、請求項２に記載の車両用シートのヘッドレスト装置であって、
移動促進部材は、ステー部材の横方向の連結部の外周面に回転可能に配設された回転輪によって構成されていることを特徴とする。
【００１１】
前記構成によると、ステー部材の横方向の連結部の外周面に回転輪を回転可能に配設することによって、移動促進部材を容易に構成することができる。
【００１２】
請求項４に係る車両用シートのヘッドレスト装置は、請求項２に記載の車両用シートのヘッドレスト装置であって、
移動促進部材は、支持部材のロック機構を構成すると共に衝撃荷重が作用したときに破断可能な連結体によって構成され、
前記連結体には、移動許容孔に沿って転動可能なローラが配設されていることを特徴とする。
【００１３】
前記構成によると、支持部材に配設されてロック機構を構成する衝撃荷重で破断可能な連結体にローラを配設することによって、ロック機構と移動促進部材とを容易に構成することができる。
【図面の簡単な説明】
【００１４】
【図１】この発明の実施例１に係る車両用シートのヘッドレスト装置を示す斜視図である。
【図２】同じくステー部材とヘッドレスト本体の支持部材とが分離された状態を示す斜視図である。
【図３】同じくヘッドレスト装置を示す側断面図である。
【図４】同じく着座者の頭部による後方への衝撃荷重によってロック機構のロックが外れ、ヘッドレスト本体が後方へ移動して移動許容部に配置された状態を示す説明図である。
【図５】同じく移動許容部において、移動促進部材を介してヘッドレスト本体が上方へ移動した状態を示す説明図である。
【図６】同じく移動許容部において、移動促進部材を介してヘッドレスト本体が下方へ移動した状態を示す説明図である。
【図７】この発明の実施例２に係る車両用シートのヘッドレスト装置を示す側断面図である。
【図８】同じく着座者の頭部による後方への衝撃荷重によってロック機構のロックが外れ、ヘッドレスト本体が後方へ移動して移動許容部に配置された状態を示す説明図である。
【発明を実施するための形態】
【００１５】
この発明を実施するための形態について実施例にしたがって説明する。
【実施例１】
【００１６】
この発明の実施例１を図１〜図６にしたがって説明する。
図１〜図３に示すように、車両用シートのシートバックの上部に装着されるヘッドレスト装置は、ステー部材１０と、ヘッドレスト本体２０とを主体として構成されている。
ステー部材１０は、金属製パイプより形成され、上下方向に延びる左右の両支柱部１３が水平方向の上部連結部１１と中間連結部１２によって一体に連結されて構成されている。
そして、ステー部材１０の上部連結部１１及び中間連結部１２と左右の両支柱部１３の上半部は、ヘッドレスト本体２０内に内設され、左右の両支柱部１３の下半部はヘッドレスト本体２０の下面から露出して、シートバックの上部に内設されたサポート部材３に高さ調整可能に嵌挿される（図３参照）。
【００１７】
図３に示すように、ヘッドレスト本体２０は、パッド部材２１と、表皮２２と、支持部材３０とを備えている。
支持部材３０は、合成樹脂材よりなり、前板部３１と、上板部３２と、底板部３３と、左右の両側板部３４と、保持体３５と、を有している。
パッド部材２１は、発泡ウレタン等よりなる柔軟弾性を有する弾性体によって形成され、支持部材３０を覆うようにして配設されている。そして、パッド部材２１の表面は表皮２２によって被覆されている。
【００１８】
また、この実施例１において、保持体３５は、支持部材３０の前板部３１の後側面に接着剤やビス等の結合手段によって装着されている。
この保持体３５は、ステー部材１０に対しヘッドレスト本体２０を設定された姿勢でロックするロック機構４０と、このロック機構４０のロックが外れてヘッドレスト本体２０が後方へ移動したときにヘッドレスト本体２０の上下方向の移動を許容する移動許容部４５とを構成する。
また、支持部材３０の底板部３３には、ステー部材１０の左右の両支柱部１３が前後方向へ相対移動可能な切欠孔３６が形成されている。
【００１９】
この実施例１において、保持体３５には、ステー部材１０の上部連結部１１と中間連結部１２とが嵌込まれる前側開口のロック孔４２が上下部にそれぞれ形成されている。
また、両ロック孔４２の前側開口部には、開口部を狭めるようにしてロック部４１が形成されている。そして、ロック部４１によって、ステー部材１０の上部連結部１１と中間連結部１２とをロック孔４２内にロックしている。さらに、各ロック部４１は、ヘッドレスト本体２０に後方への衝撃荷重が作用したときに変形又は破断してロックが外れるように設定されている。
すなわち、この実施例１において、ロック機構４０は、ロック孔４２とロック部４１によって構成されている。
【００２０】
図３に示すように、保持体３５には、ロック孔４２のロック部４１の前側に隣接してヘッドレスト本体２０の上下方向の移動を許容する移動許容部４５としての上下方向に長い長孔状の移動許容孔４６が支持部材３０の前板部３１と協働して形成されている。
【００２１】
ヘッドレスト本体２０とステー部材１０とのうち、少なくとも一方には、ヘッドレスト本体２０の移動許容孔４６での上下動を円滑化する移動促進部材５０が配設されている。
この実施例１において、移動促進部材５０は、ステー部材１０の上部連結部１１及び中間連結部１２の外周面に回転可能に配設された回転輪５１によって構成されている。
【００２２】
この実施例１に係る車両用シートのヘッドレスト装置は上述したように構成される。
したがって、車両の後突時において、シートに着座している乗員の腰部が、車両とともに前方へ押し出され、相対的に上半身が後方へ移動し、着座者の頭部が後方へ反り返る。
この際、ヘッドレスト本体２０に対し着座者の頭部が当たる場合がある。
この場合、着座者の頭部による後方への衝撃荷重がヘッドレスト本体２０に作用する。すると、ロック機構４０をなす上下の各ロック部４１がステー部材１０の上部連結部１１及び中間連結部１２に押圧されて変形又は破損する。
【００２３】
そして、図４に示すように、ステー部材１０の上部連結部１１及び中間連結部１２がロック孔４２から抜け出てロックが外れる。
これによって、ヘッドレスト本体２０が後方へ移動し、ステー部材１０の上部連結部１１及び中間連結部１２が移動許容孔４６に配置される。そして、ステー部材１０の上部連結部１１及び中間連結部１２の外周面に配設した移動促進部材５０としての回転輪５１が移動許容孔４６の上下方向の一側面に接する。
すると、移動許容孔４６において、ヘッドレスト本体２０の上下動が回転輪５１によって円滑化される。
このため、引き続く着座者の頭部の上方への移動に追従し、図５に示すように、ヘッドレスト本体２０が上方へ円滑に移動する。
この結果、ヘッドレスト本体２０と着座者の頭部との間に発生する摩擦力を抑制することができ、着座者の頸部に対する負担を軽減することができる。
なお、ヘッドレスト本体２０から着座者の頭部が離れると、図６に示すように、ヘッドレスト本体２０が移動許容孔４６に沿って下降する。
【００２４】
また、この実施例１において、ロック機構４０を構成するロック部４１とロック孔４２は、支持部材３０の保持体３５に形成される。
また、移動許容部４５は、ロック部４１の前側に隣接して保持体３５に形成された上下方向に長い移動許容孔４６によって構成されている。
このため、支持部材３０の保持体３５に対し、ロック機構４０及び移動許容部４５を容易に構成することができる。
また、この実施例１において、ステー部材１０の上部連結部１１及び中間連結部１２の外周面に回転輪５１を配設することで移動促進部材５０を容易に構成することができる。
【実施例２】
【００２５】
次に、この発明の実施例２を図７と図８にしたがって説明する。
この実施例２においては、ロック機構１４０と移動促進部材１５０との構造を変更したものである。
すなわち、この実施例２において、ステー部材１０の上部連結部１１と中間連結部１２とが嵌込まれる保持体１３５の上下のロック孔１４２の前側部には、衝撃荷重が作用したときに破断してロックが外れるロック部１４１を上下両端部に有する連結体１５１が形成されている。
そして、この実施例２において、ロック機構１４０は、ロック孔１４２とロック部１４１によって構成されている。
【００２６】
また、連結体１５１には、ステー部材１０の上部連結部１１又は中間連結部１２に対応する位置において凹部１５３が形成されている。
さらに、連結体１５１には、実施例１と同様の移動許容部４５を構成する移動許容孔４６の一側面に沿って転動可能な移動促進部材１５０としてのローラ１５２が軸を中心として回転可能に装着されている。
この実施例２のその他の構成は実施例１と同様に構成されるため、同一構成部分に対し同一符号を付記してその説明は省略する。
【００２７】
この実施例２に係る車両用シートのヘッドレスト装置は上述したように構成される。
したがって、車両の後突時において、着座者の頭部による後方への衝撃荷重がヘッドレスト本体２０に作用すると、ロック機構１４０をなす連結体１５１の上下のロック部１４１がステー部材１０の上部連結部１１及び中間連結部１２に押圧されて破断する。そして、連結体１５１の凹部１５３がステー部材１０の上部連結部１１又は中間連結部１２に押圧されてロック孔１４２から抜け出てロックが外れる。
【００２８】
これによって、図８に示すように、ヘッドレスト本体２０が後方へ移動し、連結体１５１と共に、ステー部材１０の上部連結部１１及び中間連結部１２が移動許容孔４６に配置される。そして、連結体１５１の移動促進部材１５０としてのローラ１５２が移動許容孔４６の上下方向の一側面に接する。
すると、移動許容孔４６において、ヘッドレスト本体２０の上下動がローラ１５２によって円滑化される。
このため、引き続く着座者の頭部の上方への移動に追従してヘッドレスト本体２０が上方へ軽快に移動する。
この結果、ヘッドレスト本体２０と着座者の頭部との間に発生する摩擦力を抑制することができ、着座者の頸部に対する負担を軽減することができる。
【００２９】
なお、この発明は前記実施例１及び２に限定するものではなく、この発明の要旨を逸脱しない範囲内において、種々の形態で実施することができる。
例えば、前記実施例１及び２においては、ステー部材１０の左右の両支柱部１３の上部と中間部に水平方向の上部連結部１１と中間連結部１２が形成される場合を例示したが、左右の両支柱部１３が上部連結部１１のみによって連結されてもよく、また、中間連結部１２のみによって連結されてもよい。
また、ステー部材の左右の両支柱部の間に跨って連結する水平方向の連結部を回転可能に組み付けることによって、連結部を移動促進部材とすることも可能である。
また、移動促進部材としては、回転輪５１やローラ１５２の他、移動許容部としての移動許容孔の一側面に、滑り性に優れる滑り層を設けることによっても構成することが可能である。
保持体３５（１３５）は、支持部材３０の前板部３１の後側面に接着剤やビス等の結合手段によって装着される場合を例示したが、射出成形によって支持部材３０の前板部３１の後側面に保持体３５（１３５）を一体成形することも可能である。
また、支持部材の左右の両側板部に対し、ロック機構を構成するロック部とロック孔とを形成することも可能であり、移動許容部を構成する移動許容孔を形成することも可能である。この場合には、保持体が不要となる。
【符号の説明】
【００３０】
１０  ステー部材
１１  上部連結部
１２  中間連結部
１３  左右の両支柱部
２０  ヘッドレスト本体
３０  支持部材
３５  保持体
４０  ロック機構
４１  ロック部
４２  ロック孔
４５  移動許容部
４６  移動許容孔
５０  移動促進部材
５１  回転輪
１４０  ロック機構
１４１  ロック部
１４２  ロック孔
１５０  移動促進部材
１５２  ローラ
【図１】
2013220770.tif 000003
【図２】
2013220770.tif 000004
【図３】
2013220770.tif 000005
【図４】
2013220770.tif 000006
【図５】
2013220770.tif 000007
【図６】
2013220770.tif 000008
【図７】
2013220770.tif 000009
【図８】
2013220770.tif 000010